(57)【要約】【課題】構造を単純化して良好な成形性を得ることで、精度と外観を両立させつつ、回転体の組み立て性も良好な記録装置を提供する。【解決手段】記録媒体を搬送部材に押圧して回転可能な拍車１２が拍車取り付け部１３に取り付けられ、記録媒体を搬送して記録手段によって記録を行う記録装置において、拍車取り付け部１３に、拍車１２の回転軸となる屈曲及び復元可能な拍車軸１４の両端を支持する支持部１３ａ，１３ｂを設けるとともに、拍車軸１４の端部を支持部１３ａ，１３ｂに誘導する斜面１３ｃを設けたことを特徴とする。【選択図】　　図４
2004074517.tif 000002
【特許請求の範囲】
【請求項１】
記録媒体を搬送部材に押圧して回転可能な回転体が支持部材に取り付けられ、記録媒体を搬送して記録手段によって記録を行う記録装置において、
前記支持部材に、前記回転体の回転軸となる屈曲及び復元可能な弾性軸の両端を支持する支持部を設けるとともに、前記弾性軸の端部を前記支持部に誘導する誘導部を設けたことを特徴とする記録装置。
【請求項２】
前記支持部材に、前記回転体の軸方向への移動を規制して支持する規制部を設け、
前記規制部に連続する開口部であって、前記回転体を該回転体の回転半径方向に挿入可能であるとともに、前記回転体に取り付けられた前記弾性軸を屈曲させて通過させることが可能な開口部を設けたことを特徴とする請求項１記載の記録装置。
【請求項３】
前記支持部材は、装置外装部材と一体的に構成されていることを特徴とする請求項１又は請求項２に記載の記録装置。
【請求項４】
複数の前記支持部材を直列に配置して回転体ガイド部を構成し、該回転体ガイド部の両端部近傍を装置本体へ固定したことを特徴とする請求項３記載の記録装置。
【請求項５】
前記記録装置は、記録手段が信号に応じてインクを吐出して記録することを特徴とする請求項１乃至請求項４のいずれか１項に記載の記録装置。
【請求項６】
前記記録装置は、記録手段が信号に応じて電気熱変換体に通電し、該電気熱変換体の発する熱エネルギーによってインクを吐出することを特徴とする請求項５記載の記録装置。
【請求項７】
前記回転体は、円板状の板部材の周囲に突起を有し、記録媒体の記録面側に当接することを特徴とする請求項１乃至請求項６のいずれか１項に記載の記録装置。
【発明の詳細な説明】
【０００１】
【発明の属する技術分野】
本発明は記録媒体を搬送するための回転体の組み付けが容易な記録装置に関する。
【０００２】
【従来の技術】
今日、種々の記録方式の記録装置が開発されているが、その中にインクジェット記録装置がある。このインクジェット記録装置は、画信号に応じて多数のノズルからインク滴を選択的に吐出して記録媒体に記録を行うものであり、カラー記録装置であっても小型化及び低コスト化が可能であることから広く使用されている。
【０００３】
ここで、インクジェット記録装置は前記のようにインク滴を吐出して画像記録した記録媒体を装置外へと排出するが、このとき、記録媒体の記録面はインクが吐出された直後であるため、未乾燥のインクによって濡れた状態である。この記録媒体を通常の円柱状のローラで挟持して搬送すると、記録面側のローラにインクが転写して、記録面を汚染するおそれがある。
【０００４】
そこで、記録面側には図５に示すように、薄くとがった先端を有する拍車２０１を設け、排出ローラ２０３との間で記録媒体を挟持して搬送する。この拍車２０１は、複数の突起を周囲に設けた薄い金属製の円板であり、中央部には樹脂製の軸受け部を設けている。この軸受け部の穴に弾性体の拍車軸２０２を貫通させて支持することにより、拍車２０１は回動可能である。拍車軸２０２は密着巻きの細いばねでできており、撓みによって排出ローラ２０３に拍車２０１を圧接し、記録媒体を挟持する力を発生させている。
【０００５】
拍車２０１はその形状によってインクに対する接触面積が小さくなっているので、未乾燥の記録面上に接して記録媒体を排出ローラ２０３に圧接しながら回転しても、インクを他の場所に転写することなく記録媒体Ｐを搬送することが可能である。
【０００６】
図６（ａ）は拍車２０１及び拍車軸２０２を装置本体に取り付けた状態を示した断面説明図である。
【０００７】
拍車２０１は拍車ホルダ２０４のスリット形状の間で、回動可能かつ上下動可能に支持され、拍車２０１を貫通する拍車軸２０２の両端部は上、前、後側及びスラスト方向への移動を規制され、中央部の拍車２０１付近の下側を支持されている。これにより、拍車２０１及び拍車軸２０２は本体から脱落することがなく、拍車２０１が下方からの力を受けると、拍車軸２０２が上方に撓んで拍車２０１に適切な反力を与えることができる。
【０００８】
図６（ｂ）は図６（ａ）を横から見た断面説明図である。拍車軸２０２の下側支持部２０５は、前後方向に撓む板ばねで支持された形状になっているので、組み立て時には、拍車２０１及び拍車軸２０２を下方から挿入すると下側支持部２０５が逃げ、拍車軸２０２が所定の位置に達すると下側支持部２０５が戻って拍車軸２０２を支える構成になっている。
【０００９】
【発明が解決しようとする課題】
上記のような記録装置は更なるコストダウンが求められ、拍車取り付け部と外装を一体化することが要求される場合がある。
【００１０】
しかし、外観を良好にするための成形条件と、拍車取り付け部の精度を確保するための成形条件とが、必ずしも一致しないため、外観と性能を両立させることが困難となる。
【００１１】
外観を良好に保ちつつ拍車取り付け部の精度を確保するためには、拍車取り付け部の型構造を単純化して成形性を向上させる必要があるが、従来は単純な型構造では拍車を取り付ける際の組み立て性が良好な構成にすることが困難であった。
【００１２】
つまり、従来の記録装置では、拍車取り付け部の構造が複雑なので金型コストの上昇、成形性の悪化などを招く。また、構造を単純化しようとすると組み立て性が悪くなるので、複数部品化して組み立てるなどの方法をとることになり、これもコストアップの原因となっていた。
【００１３】
本発明は上記課題を解決するものであり、その目的は、構造を単純化して良好な成形性を得ることで、精度と外観を両立させつつ、回転体の組み立て性も良好な記録装置を提供するものである。
【００１４】
【課題を解決するための手段】
上記目的を達成するための本発明に係る代表的な構成は、記録媒体を搬送部材に押圧して回転可能な回転体が支持部材に取り付けられ、記録媒体を搬送して記録手段によって記録を行う記録装置において、前記支持部材に、前記回転体の回転軸となる屈曲及び復元可能な弾性軸の両端を支持する支持部を設けるとともに、前記弾性軸の端部を前記支持部に誘導する誘導部を設けたことを特徴とする。
【００１５】
上記構成にあっては、回転体の回転軸となる弾性軸を支持部に取り付ける際に、弾性軸の端部が引っかかることなく、単に軸方向へ滑らせるだけで所定位置に組み込むことができる。
【００１６】
【発明の実施の形態】
次に図１乃至図４を参照して本発明の一実施形態に係る記録装置について説明する。
【００１７】
｛装置全体構成｝
まず、記録装置の全体構成について、図１及び図２を参照して説明する。尚、図１は記録装置の内部斜視説明図であり、図２は記録装置の斜視説明図である。
【００１８】
本実施形態に係る記録装置は、図に示すように、記録装置１は給送部２、搬送部３、排出部４、キャリッジ部５、クリーニング部６などから構成されている。この記録装置は記録媒体Ｐを搬送し、これに記録するものであるが、この記録媒体Ｐは紙や樹脂フィルム等を用いることができる。
【００１９】
給送部２はここに積載された未記録の記録媒体Ｐを、給送ローラ７によって１枚ずつ分離して搬送部３に供給する。
【００２０】
搬送部３は搬送ローラ８、ピンチローラ９、プラテン１０などから構成され、不図示の駆動系により駆動されて回転する搬送ローラ８と、この搬送ローラ８に接して従動回転するピンチローラ９によって、給送部２より送り込まれた記録媒体Ｐを挟持してプラテン１０上を通過させ、排出部４に送り込む。また、プラテン１０は記録媒体Ｐを支持して平面状に保ち、キャリッジ部５に搭載された記録ヘッド１１のインク吐出面に記録媒体Ｐを正対させる機能を有する。
【００２１】
排出部４は搬送部３から送り込まれた記録媒体Ｐを記録装置１の外部へと排出する。このとき、記録面を汚さないため、図３に示すように、記録面側に薄くとがった突起を有する回転体としての拍車１２を設け、排出ローラ１５との間で記録媒体Ｐを挟持して搬送する。
【００２２】
キャリッジ部５は記録ヘッド１１を着脱交換可能に搭載し、プラテン１０に支持された記録媒体Ｐ上を記録媒体Ｐの搬送方向と交差する方向に往復運動により走査する。このとき、キャリッジ部５は記録ヘッド１１のインク吐出面と記録媒体Ｐとの間隔（シート間）が適切になるように記録ヘッド１１を保持する。
【００２３】
記録ヘッド１１はインク吐出面に設けられたノズルよりインクを吐出する機能を有し、吐出したインク滴を記録媒体Ｐ上に付着させる。
【００２４】
本実施形態ではインクの吐出構成として、記録信号に応じて電気熱変換体に通電し、その熱エネルギーによってインクに生ずる膜沸騰を利用してインクに生ずる気泡の成長、収縮により、インクを吐出口から吐出して記録を行うように構成している。このように、熱エネルギーによって気泡を成長収縮させてインクを吐出させることで、特に応答性に優れた液体の吐出が達成できる。
【００２５】
クリーニング部６は記録装置の正面から見て右側端に設置されている。クリーニング部６は吸引回復手段（不図示）を有し、記録ヘッド１１のノズルに負圧を発生させてインクを吸収することにより、塵の混入やインクの乾燥及び増粘による目詰まりなどの問題を除去し、インクタンクのインクをノズルまで充填する。
【００２６】
以上の構成から、キャリッジ部５による主走査、及び搬送部３が記録媒体Ｐを送ることによる副走査によって、記録媒体Ｐ上に形成される面（記録領域）上を記録ヘッド１１が走査しながら、適切なタイミングでインクを吐出することによって記録領域に画像を形成する。
【００２７】
｛拍車取り付け構成｝
次に本実施形態に係る拍車の取り付け構成について説明する。本実施形態においては、図２に示すように、樹脂成型により外装部材のひとつである上ケース１６と一体に拍車支持部材としての拍車取り付け部１３を構成している。そして、良好な外観を得られる成型条件でも拍車取り付け部１３の精度が保てるように、拍車取り付け部１３の形状を従来例より単純化して成形性を向上させているが、単純な形状でも、拍車を組み込む際の組み立てが良好に行えるよう、以下に述べるような構成になっている。
【００２８】
図３は本実施形態の拍車取り付け部１３の構造を説明するため、複数ある拍車取り付け部１３のひとつを取り出して拡大した模式図である。そして、図３（ａ）は拍車１２及び拍車軸１４を拍車取り付け部１３に組み込んだ状態を斜め下方から見た状態を示しており、図３（ｂ）は横断面図である。
【００２９】
拍車軸１４は回転体である拍車１２を貫通して回動自在に支持しており、拍車取り付け部１３は拍車軸１４の両端部の上側を支持する支持部を上側支持部１３ａと、中央部の拍車付近の下側を支持する下側支持部１３ｂで拍車軸１４を支持している。また、拍車１２が回転軸方向へ移動するのを規制するための規制部１３ｅが設けられている。
【００３０】
前記拍車軸１４は密着巻きの細いばねでできており、屈曲及び復元可能な弾性軸であり、撓みによって排出ローラ１５に拍車１２を圧接し、記録媒体Ｐを挟持する力を発生させている。
【００３１】
図３の状態に組み立てる第１の方法として、図４（ａ）に示すように、拍車軸１４を、拍車取り付け部１３を通過しつつ斜め下方から拍車１２を貫通させるようにしている。
【００３２】
拍車取り付け部１３の上側支持部１３ａに隣接して斜面１３ｃが設けられている。この斜面１３ｃは拍車１２を組み付ける際に、拍車軸１４を上側支持部１３ａと下側支持部１３ｂの間に誘導するための誘導部となるものであり、拍車１２を貫通した拍車軸１４は、該斜面１３ｃに先端部が突き当たり、撓みつつ該斜面１３ｃに導かれ、図中矢印ａの方向に移動して所定の位置に収まる。この斜面１３ｃを設けた効果により、拍車軸１４を単にスライドさせるだけで、途中で引っかかることなく簡単に組み込みが完了するので、ピンセットなどの工具を用いて拍車軸１４を所定の位置にはめ込む作業が不要になる。
【００３３】
図４（ｂ）は拍車組み立ての第２の方法を示している。
【００３４】
あらかじめ拍車１２を貫通させた拍車軸１４を撓めた状態で、上方から組み込むことが可能なように、拍車取り付け部１３に拍車１２が回転半径方向に通過可能なスリット状の開口部１３ｄが規制部１３ｅによって形成され、ここから前記規制部１３ｅで形成された間隙に拍車１２を組み付けられるようになっている。
【００３５】
すなわち、前記この開口部１３ｄから拍車１２及びこの拍車１２に貫通した拍車軸１４を屈曲させて通す。この拍車軸１４は図中矢印ｂで示すように弾性によって自然に伸展して所定の位置におさまり、図３の状態になる。この第２の組み付け方法では、拍車軸１４を拍車１２に貫通させる作業を拍車取り付け部１３の外で行えるので、この点で第１の方法より作業性が良い。
【００３６】
第２の方法も手作業によって簡単に行える作業であるが、拍車軸１４をＵ字形に撓めて保持する冶具を用意するとさらに簡単で、量産に適した作業性の良い方法になる。
【００３７】
そして、本実施形態では前述したような複数の拍車取り付け部１３を直列に配置して回転体ガイド部としての拍車ガイド部１６ａを構成し、この拍車ガイド部１６ａを外装部材のひとつである上ケース１６と一体に成型しているが、図２に示すように、この上ケース１６を装置本体のシャーシにビス等で締結する締結部１６ｂは拍車取り付け部１３の列の両端部に設けられている。
【００３８】
このように配置することで、拍車軸１４から拍車ガイド部１６ａに加わる力をすぐ近くで受けることが可能になるため、拍車ガイド部１６ａの位置決めを確実にするとともに、撓みを最小に押さえることができ、記録媒体Ｐの搬送を確実に行うことができるようになる。さらに、この締結部１６ｂによってメインケースである上ケース１６の固定も行われるので、非常に効率的である。
【００３９】
尚、前述した実施形態では記録面側に当接してシートを排出ローラ１５に押圧する回転体として薄板円板の周囲に突起を有する拍車１２を例示したが、回転体は拍車形状のものに限定する必要はなく、記録媒体に対する接触面積が小さく、インク吐出によってインク像が記録されたシート面側に接触しても、該インク像を乱すことがない回転体であればよい。
【００４０】
【発明の効果】
本発明によれば、組み立て性が良好で、成形性の良い形状の回転体支持部を構成することができ、これにより外装部品と回転体支持部を一体化することが容易になるので、コストが削減できる。
【図面の簡単な説明】
【図１】記録装置の内部構成を示す斜視図である。
【図２】記録装置の外装部材を示す斜視説明図である。実施形態を示す斜視図。
【図３】記録装置の拍車取り付け部の拡大図説明図である。
【図４】拍車取り付け部に拍車を組み込む方法を示した断面説明図である。
【図５】拍車の形状を説明するための説明図である。
【図６】従来の拍車取り付け部の構造を説明するための断面説明図である。
【符号の説明】
Ｐ　　　　…記録媒体
１　　　　…記録装置
２　　　　…給送部
３　　　　…搬送部
４　　　　…排出部
５　　　　…キャリッジ部
６　　　　…クリーニング部
７　　　　…給送ローラ
８　　　　…搬送ローラ
９　　　　…ピンチローラ
１０　　　　…プラテン
１１　　　　…記録ヘッド
１２　　　　…拍車
１３　　　　…拍車取り付け部
１３ａ　　…上側支持部
１３ｂ　　…下側支持部
１３ｃ　　…斜面
１３ｄ　　…開口部
１４　　　　…拍車軸
１５　　　　…排出ローラ
１６　　　　…上ケース
１６ａ　　…拍車ガイド部
１６ｂ　　…締結部
【図１】
2004074517.tif 000003
【図２】
2004074517.tif 000004
【図３】
2004074517.tif 000005
【図４】
2004074517.tif 000006
【図５】
2004074517.tif 000007
【図６】
2004074517.tif 000008